(57)【特許請求の範囲】
【請求項１】
被調理物を載置する焼き網と、前記焼き網を収納する受皿と、前記焼き網と前記受皿と前記被調理物を収納する調理室と、前記被調理物を上方から加熱する第一の加熱手段又は／及び下方から加熱する第二の加熱手段と、前記調理室内の空気を機外へ排出する排気経路と、前記調理室内で発生する油煙の少なくとも一部を除去する油煙量低減手段と、前記第一の加熱手段と前記油煙量低減手段との間または前記第一の加熱手段近傍に遮蔽板を備え、前記遮蔽板は、前記第一加熱手段の前記油煙量低減手段への投影形状部分を切り欠いた形状とし、前記調理室内で発生した油煙を前記遮蔽板に衝突させ、前記遮蔽板を迂回させる構成とした加熱調理器。
【請求項２】
遮蔽板は、少なくとも油煙量低減手段の調理室内への投影形状と略同形状である請求項１に記載の加熱調理器。
【請求項３】
排気経路は調理室の上面部に接続され、油煙量低減手段は略平板状で複数の孔を有するとともに前記調理室と前記排気経路との接続部近傍に配置された請求項１または２に記載の加熱調理器。
【請求項４】
遮蔽板を略垂直方向または略水平方向に振動させる遮蔽板振動手段を設けた請求項１〜３のいずれか１項に記載の加熱調理器。
【請求項５】
遮蔽板を弾性体で支持した請求項１〜４のいずれか１項に記載の加熱調理器。
【請求項６】
遮蔽板の少なくとも油煙量低減手段に面する側に、放射率の高い材料を塗布した請求項１〜５のいずれか１項に記載の加熱調理器。
【請求項７】
遮蔽板の少なくとも油煙量低減手段に面する側と反対側に、放射率の高い材料を塗布した請求項１〜６のいずれか１項に記載の加熱調理器。
【請求項８】
遮蔽板を放射率の高い材質で形成した請求項１〜７のいずれか１項に記載の加熱調理器。
【発明の詳細な説明】
【技術分野】
【０００１】
本発明は一般家庭で魚、肉等の被調理物を加熱調理する加熱調理器に関するものである。
【背景技術】
【０００２】
従来、この種の加熱調理器１は、図９に示すように、主に放射熱により被調理物３を上方から加熱調理する第一の加熱手段４と、主に放射熱により被調理物３を下方から加熱調理する第二の加熱手段５を有する調理室２を有し、被調理物３を載置する焼き網６および焼き網６の下方に配置されて焼き網６を収納し、且つ加熱調理時に被調理物３から落下する油Ａ等を受ける受皿７は共に調理室２内に収納される。また、扉８は、調理室２の前面開口部を覆うとともに、被調理物３を出し入れするために開閉自在となっている。
【０００３】
次に、被調理物３を調理する方法を説明する。まず、使用者は焼き網６に被調理物３を載せて焼き網６を受皿７に収納し、扉８の閉成動作に連動させて受皿７を調理室２内に収納する。その後、調理開始ボタン（図示せず）を押すと、被調理物３を加熱する調理工程が開始する。
【０００４】
調理工程が開始すると、調理室２内にある第一の加熱手段４または第二の加熱手段５に通電される。被調理物３が調理室２内の所定の位置に収納されると、第一の加熱手段４は被調理物３の上方に、また第二の加熱手段５は被調理物３の下方に配置されるので、被調理物３は、主に第一の加熱手段４または第二の加熱手段５の放射熱により加熱されることになる。
【０００５】
こうして、第一の加熱手段４または第二の加熱手段５に所定時間通電されることにより、被調理物３は加熱調理される（例えば、特許文献１参照）。
【０００６】
そのため、調理工程中に、第一の加熱手段４または第二の加熱手段５は高温状態（例えば、第一の加熱手段４や第二の加熱手段５がシーズヒータで構成されている場合は約４００〜７００℃）になる。
【０００７】
一方、被調理物３が魚等、油分を多く含む食材の場合は、調理工程中に被調理物３の表面が加熱されることにより、被調理物３の表面にある油Ａが気化して油煙Ｕが発生したり、被調理物３の内部から油Ａが流れ出して、調理工程において約４００〜７００℃もの高温状態にある第二の加熱手段５に滴下して気化することにより、油煙Ｕが発生する。
【０００８】
このようにして発生した油煙Ｕは、調理室２内と加熱調理器１の外部を連通接続する排気経路９を通って加熱調理器１外へ排出されていくものである。
【０００９】
しかしながら、加熱調理器１は、家庭の台所に置かれていることが多いので、調理工程中に排気経路９から加熱調理器１外へ排出された油煙Ｕは、家庭の台所内に排出されることになる。そのため、台所が油煙Ｕで充満し油煙臭くなってしまったり、台所の壁面等に油煙Ｕが付着して台所が汚れてしまったりして、台所の衛生状態を低下させてしまって使用者に不快感を与えたりする。
【００１０】
そこで、この調理工程中に発生し、排気経路９から加熱調理器１外へ排出される油煙Ｕの量を低減する方法として、図９および図１０に示すように、排気経路９内または排気経路９と調理室２との接続部近傍に油煙量低減手段１０を備えた加熱調理器１が提案されている（例えば、特許文献１参照）。
【００１１】
油煙量低減手段１０は、油煙Ｕを水蒸気や二酸化炭素に分解することができる白金ＰｔやパラジウムＰｄ等の触媒１１を有しており、調理工程中に発生した油煙Ｕが油煙量低減手段１０内を通過するときに、油煙Ｕが触媒１１に接触することにより水蒸気と二酸化炭素に分解されるものである。
【００１２】
なお、白金ＰｔやパラジウムＰｄ等の触媒１１の場合は、図１１に示すように、触媒所定温度Ｔ（例えば４００℃）以上の時に、油煙Ｕを分解する能力が高いので、排気経路９から排出される油煙Ｕの量を所定量以下にすることを目的として、触媒１１が油煙Ｕを分解する能力が高い状態を維持するように、油煙量低減手段１０および油煙量低減手段１０に配置されている触媒１１を触媒所定温度Ｔ以上に加熱するための第三の加熱手段１４が設けられている。
【００１３】
ところで、図９に示すように、調理室２内の空気を強制的に排出する送風手段を設けず、調理室２内の空気の自然な流れで調理室２内の空気を排気経路９から排出させる構成の場合、油煙Ｕと触媒１１との接触時間を長くしたりする必要がある。そのため、油煙量低減手段１０は、図１２に示すように、略円形形状や略長方形や略正方形の多角形形状をしており、さらに多くの格子状の孔１２を有している（孔１２は、円形や多角形であってもよい）。そして、図１０に示すように、格子状の孔１２の部分に触媒１１を配置することにより、油煙Ｕが格子状の孔１２を通過するときに触媒１１と接触するようになっている。
【００１４】
また、油煙量低減手段１０の孔１２の面積を小さくして油煙Ｕが油煙量低減手段１０を通過しにくくして、油煙量低減手段１０を通過する流速を遅くしたりしている。
【００１５】
しかしながら、孔１２の面積を小さくすることは、油煙量低減手段１０の開口面積を小さくすることになり、油煙量低減手段１０の開口面積を小さくすればするほど、油煙Ｕが油煙量低減手段１０を通過しにくくなるため、調理工程中に油煙Ｕが調理室２内に溜まってしまうことになる。調理室２内に油煙Ｕが溜まってしまうと、油煙Ｕが調理室２内の壁面に付着して調理室２内を汚してしまったり、被調理物３に付着して被調理物３の調理性能を低下させてしまったりする。
【００１６】
そのため、油煙量低減手段１０は、油煙Ｕが調理室２内に滞留しない程度の大きさおよび開口面積を有するように構成されている（例えば、油煙量低減手段１０は、図１２に示すように、直径が１００ｍｍの略円形の大きさで、且つ油煙量低減手段１０が配置される排気経路９部分の断面積に対して５０％以上の開口面積を持つ等）。
【００１７】
このような構成にすることにより、油煙量低減手段１０は、図９および図１０に示すように、油煙Ｕが調理室２内の壁面に付着して調理室２内を汚してしまったり、被調理物３に付着して被調理物３の調理性能を低下させてしまったりすることなく、排気経路９から加熱調理器１外へ排出される油煙Ｕの量を低減することができる。
【特許文献１】特許第２７２０６７２号公報
【発明の開示】
【発明が解決しようとする課題】
【００１８】
しかしながら、図９に示されるような前記従来の加熱調理器１の構成では、以下のような課題を有していた。
【００１９】
被調理物３がサンマ等のように、油Ａを多く含む食材の場合、調理工程において、大量の油Ａが不定期に、また断続的に被調理物３から流れ出てくることがあり、大量に流れ出た油Ａが第二の加熱手段５に直接滴下した場合は、大量の油煙Ｕが調理室２内に一度に発生してしまう場合がある。
【００２０】
さらに、油Ａが油煙Ｕになるのは、液体から気体になる状態変化であるので、体積膨張が生じる。そのため、被調理物３から大量に流れ出た油Ａが第二の加熱手段５に直接滴下して大量の油煙Ｕが一度に発生する場合は、調理室２内で急激な体積膨張が発生してしまう。急激な体積膨張が発生すると、排気経路９内を流れる油煙Ｕは高圧力で且つ流速が速くなる（例えば、大量の油煙Ｕが発生しない場合の排気経路９内を流れる油煙Ｕの流速は１〜２ｍ／ｓであるのに対し、大量の油煙Ｕが発生した場合は３〜４ｍ／ｓになる等）。
【００２１】
それゆえ、図９に示すように、油煙Ｕが主に被調理物３から発生し、油Ａが第二の加熱手段５に直接滴下して大量の油煙Ｕが発生しない場合に、油煙Ｕが調理室２内に滞留しない程度の開口面積を有した（例えば、排気経路９の油煙低減手段１０が配置される部分の断面積に対して５０％以上の開口面積を持つ等）油煙低減手段１０を排気経路９内に備える構成では、高圧力で且つ流速が速い油煙Ｕが大量に油煙低減手段１０に供給されると、油煙Ｕの流速が速いために触媒１１と十分に接触しないまま油煙低減手段１０を通過してしまう油煙Ｕが発生してしまう。その結果、図１３および図１４に示すように、油煙低減手段１０で十分に除去できない油煙Ｕがそのまま排気経路９を介して加熱調理器１外へ排出されてしまう。
【００２２】
以上より、被調理物３がサンマ等、多くの油Ａを含む場合は、調理工程において、油Ａが不定期に且つ断続的に第二の加熱手段５に大量に滴下して大量の油煙Ｕが発生することがあり、その場合、排気経路９からも多くの油煙Ｕが不定期に且つ断続的に排出されて台所の壁面等を汚してしまうという課題があった。
【００２３】
本発明は、前記従来の課題を解決するもので、排気経路から排出される油煙の量を低減して、台所の衛生状態が低下するのを防止することができる加熱調理器を提供することを目的とする。
【課題を解決するための手段】
【００２４】
前記従来の課題を解決するために、本発明の加熱調理器は、被調理物を載置する焼き網と、焼き網を収納する受皿と、焼き網と受皿と被調理物を収納する調理室と、被調理物を上方から加熱する第一の加熱手段又は／及び下方から加熱する第二の加熱手段と、調理室内の空気を機外へ排出する排気経路と、調理室内で発生する油煙の少なくとも一部を除去する油煙量低減手段と、第一の加熱手段と油煙量低減手段との間または第一の加熱手段近傍に遮蔽板を備え、遮蔽板は、第一加熱手段の油煙量低減手段への投影形状部分を切り欠いた形状とし、前記調理室内で発生した油煙を前記遮蔽板に衝突させ、前記遮蔽板を迂回させる構成としたもので、第一の加熱手段は、被調理物を加熱するだけでなく、油煙量低減手段を触媒所定温度以上に加熱することができるとともに、調理室内で発生した油煙は、油煙量低減手段に直接供給されて排出されるのではなく、遮蔽板に一度衝突して、遮蔽板を迂回してから油煙量低減手段に供給されて排出されていく。
【００２５】
そのため、調理室内で油煙が大量に発生した場合でも、油煙が遮蔽板に衝突することにより、油煙の流速を遅くして油煙量低減手段に供給することができ、油煙が、流速が速いまま油煙量低減手段を素通りして、水蒸気や二酸化炭素に分解されずに加熱調理器外へ排出されてしまうのを低減することができる。
【００２６】
以上より、油煙量低減手段は第一の加熱手段により触媒所定温度以上に加熱されるとともに、排気経路から排出される油煙の量を低減することができ、台所が油煙で充満して油煙臭い状態になってしまったり、台所の壁面等に油煙が付着して台所が汚れ、台所の衛生状態を低下させてしまって使用者に不快感を与えたりするのを低減することができる。
【発明の効果】
【００２７】
本発明の加熱調理器は、第一の加熱手段は、被調理物を加熱するだけでなく、油煙量低減手段を触媒所定温度以上に加熱することができるとともに、調理室内で発生した油煙は、油煙量低減手段に直接供給されて排出されるのではなく、遮蔽板に一度衝突して、遮蔽板を迂回してから油煙量低減手段に供給されて排出されていくことになるので、調理室内で油煙が大量に発生した場合でも、油煙が遮蔽板に衝突することにより、油煙の流速を遅くして油煙量低減手段に供給することができ、油煙が、流速が速いまま油煙量低減手段を素通りして、水蒸気や二酸化炭素に分解されずに加熱調理器外へ排出されてしまうのを低減することができる。
【００２８】
それゆえ、油煙量低減手段は第一の加熱手段により触媒所定温度以上に加熱されるとともに、排気経路から排出される油煙の量を所定量以下に低減することができ、台所が油煙で充満して油煙臭い状態になってしまったり、台所の壁面等に油煙が付着して台所が汚れ、台所の衛生状態を低下させてしまって使用者に不快感を与えたりするのを低減することができる。
【発明を実施するための最良の形態】
【００２９】
第１の発明は、被調理物を載置する焼き網と、焼き網を収納する受皿と、焼き網と受皿と被調理物を収納する調理室と、被調理物を上方から加熱する第一の加熱手段又は／及び下方から加熱する第二の加熱手段と、調理室内の空気を機外へ排出する排気経路と、調理室内で発生する油煙の少なくとも一部を除去する油煙量低減手段と、第一の加熱手段と油煙量低減手段との間または第一の加熱手段近傍に遮蔽板を備え、遮蔽板は、第一加熱手段の油煙量低減手段への投影形状部分を切り欠いた形状とし、前記調理室内で発生した油煙を前記遮蔽板に衝突させ、前記遮蔽板を迂回させる構成としたもので、第一の加熱手段は、被調理物を加熱するだけでなく、油煙量低減手段を触媒所定温度以上に加熱することができるとともに、調理室内で発生した油煙は、油煙量低減手段に直接供給されて排出されるのではなく、遮蔽板に一度衝突して、遮蔽板を迂回してから油煙量低減手段に供給されて排出されていく。そのため、調理室内で油煙が大量に発生した場合でも、油煙が遮蔽板に衝突することにより、油煙の流速を遅くして油煙量低減手段に供給することができ、油煙が、流速が速いまま油煙量低減手段を素通りして、水蒸気や二酸化炭素に分解されずに加熱調理器外へ排出されてしまうのを低減することができる。
【００３０】
以上より、油煙量低減手段は第一の加熱手段により触媒所定温度以上に加熱されるとともに、排気経路から排出される油煙の量を低減することができ、台所が油煙で充満して油煙臭い状態になってしまったり、台所の壁面等に油煙が付着して台所が汚れ、台所の衛生状態を低下させてしまって使用者に不快感を与えたりするのを低減することができる。
【００３１】
第２の発明は、特に、第１の発明の遮蔽板は、少なくとも油煙量低減手段の調理室内への投影形状と略同形状としたもので、調理工程中に、被加熱物から身がはじけ飛んだ場合でも、被加熱物の身が油煙量低減手段に直接付着するのではなく、遮蔽板に付着するので、被加熱物の身が油煙量低減手段に付着するのを低減することができ、油煙量低減手段が汚れてしまって油煙を水蒸気や二酸化炭素に分解できる能力が低下してしまったり、油煙量低減手段の孔が詰まってしまって、油煙が油煙量低減手段を通過しにくくなって調理室内に滞留してしまうのを低減することができる。それゆえ、加熱調理器を長時間使用しても、油煙量低減手段は常に油煙を、二酸化炭素と水蒸気に分解し続けることができ、排気経路から排出される油煙の量を常に所定量以下に低減することができる。
【００３２】
第３の発明は、特に、第１または第２の発明の排気経路は調理室の上面部に接続され、油煙量低減手段は略平板状で複数の孔を有するとともに調理室と排気経路との接続部近傍に配置されたもので、調理室内の空気を強制的に排出する送風手段を設けず、調理室内の空気の自然な流れで調理室内の空気を排気経路から排出させる構成の場合は、調理室内で加熱された空気や油煙は、上昇気流により調理室の上面部へ移動するので、油煙を調理室から加熱調理器外へ効率的に排出することができ、調理室と排気経路との接続部近傍に配置された油煙量低減手段により、効率的に油煙を水蒸気と二酸化炭素に分解することができる。
【００３３】
それゆえ、排気経路から排出される油煙の量を所定量以下に低減することができ、台所が油煙で充満して油煙臭い状態になってしまったり、台所の壁面等に油煙が付着して台所が汚れ、台所の衛生状態を低下させてしまって使用者に不快感を与えたりするのを低減することができる。
【００３４】
第４の発明は、特に、第１〜３のいずれか１項の発明の遮蔽板を略垂直方向または略水平方向に振動させる遮蔽板振動手段を設けたもので、遮蔽板を振動させることにより、遮蔽板近傍を流れる油煙も振動させることができるので、振動した油煙が油煙量低減手段を通過する際に、油煙量低減手段の孔の側壁と衝突しながら排気経路へ排出されていくことになる。
【００３５】
そのため、油煙が油煙量低減手段を素通りするのを低減することができ、油煙が触媒と接触するのを増加させることができるので、触媒が油煙を二酸化炭素と水蒸気に分解するのを促進することができ、台所が油煙で充満して油煙臭い状態になってしまったり、台所の壁面等に油煙Ｕが付着して台所が汚れ、台所の衛生状態を低下させてしまって使用者に不快感を与えたりするのをより低減することができる。
【００３６】
第５の発明は、特に、第１〜３のいずれか１項の発明の遮蔽板を弾性体で支持したもので、調理工程中に調理室内に大量の油煙が発生した場合は、調理室内の空気および油煙は高圧力で且つ流速が速いので、遮蔽板が油煙により垂直上方に押し上げられ、遮蔽板が上下方向に振動することになる。
【００３７】
それゆえ、遮蔽板近傍を流れる油煙も振動させることができるので、振動した油煙が油煙量低減手段を通過する際に、油煙量低減手段の孔の側壁と衝突しながら排気経路へ排出されていくようにすることができる。そのため、遮蔽板を電気的に振動させる部品を不要とすることができるとともに、油煙が油煙量低減手段を素通りするのを低減することができ、油煙が触媒と接触するのを増加させることができるので、触媒が油煙を二酸化炭素と水蒸気に分解するのを促進することができ、台所が油煙で充満して油煙臭い状態になってしまったり、台所の壁面等に油煙が付着して台所が汚れ、台所の衛生状態を低下させてしまって使用者に不快感を与えたりするのをより低減することができる。
【００３８】
第６の発明は、特に、第１〜５のいずれか１項の発明の遮蔽板の少なくとも油煙量低減手段に面する側に、放射率の高い材料を塗布したもので、遮蔽板は第一の加熱手段近傍にあるため、調理工程において、第一の加熱手段は、被調理物や油煙量低減手段を加熱するだけでなく、遮蔽板も加熱するので、第一の加熱手段により加熱された遮蔽板は、油煙量低減手段に向けて放射熱を供給することになる。
【００３９】
それゆえ、油煙量低減手段は第一の加熱手段だけでなく、遮蔽板からも加熱されることになり、より早く触媒所定温度まで加熱されたり、触媒所定温度以上に加熱されたりするので、触媒が油煙を二酸化炭素と水蒸気に分解する能力をより向上させることができ、排気経路から加熱調理器外へ排出される油煙の量をより低減することができる。
【００４０】
したがって、台所が油煙で充満して油煙臭い状態になってしまったり、台所の壁面等に油煙が付着して台所が汚れ、台所の衛生状態を低下させてしまって使用者に不快感を与えたりするのをより低減することができる。
【００４１】
第７の発明は、特に、第１〜６のいずれか１項の発明の遮蔽板の少なくとも油煙量低減手段に面する側と反対側に、放射率の高い材料を塗布したもので、遮蔽板は第一の加熱手段近傍にあるため、調理工程において、第一の加熱手段は、被調理物や油煙量低減手段を加熱するだけでなく、遮蔽板も加熱するので、第一の加熱手段により加熱された遮蔽板は、被調理物に向けて放射熱を供給することになる。
【００４２】
それゆえ、被調理物は第一の加熱手段だけでなく、遮蔽板からも加熱されることになり、より早く所定の調理性能に調理されることになるので、調理工程中に、排気経路から加熱調理器外へ排出される油煙の量をより低減することができるとともに、調理時間を短縮することができる。
【００４３】
第８の発明は、特に、第１〜７のいずれか１項の発明の遮蔽板を放射率の高い材質で形成したもので、遮蔽板は第一の加熱手段近傍にあるため、調理工程において、第一の加熱手段は、被調理物や油煙量低減手段を加熱するだけでなく、遮蔽板も加熱するので、第一の加熱手段により加熱された遮蔽板は、油煙量低減手段および被調理物に向けて放射熱を供給することになる。
【００４４】
それゆえ、油煙量低減手段は第一の加熱手段だけでなく、遮蔽板からも加熱されることになり、より早く触媒所定温度まで加熱されたり、触媒所定温度以上に加熱されたりするので、触媒が油煙を二酸化炭素と水蒸気に分解する能力をより向上させることができ、排気経路から加熱調理器外へ排出される油煙の量をより低減することができるとともに、被調理物も遮蔽板からも加熱されることになり、より早く所定の調理性能に調理されることになる。
【００４５】
したがって、台所が油煙で充満して油煙臭い状態になってしまったり、台所の壁面等に油煙が付着して台所が汚れ、台所の衛生状態を低下させてしまって使用者に不快感を与えたりするのをより低減することができるとともに、調理時間を短縮することができる。
【００４６】
以下、本発明の実施の形態について、図面を参照しながら説明する。なお、この実施の形態によって本発明が限定されるものではない。
【００４７】
（実施の形態１）
図１は、本発明の第１の実施の形態における加熱調理器１の断面図である。なお、従来例における加熱調理器と同一部分については同一符号を付してその説明を省略する。
【００４８】
図１において、加熱調理器１は、所定の位置に収納された被調理物３を加熱して調理する調理室２を備えている。調理室２は、主に放射熱により被調理物３を上方から加熱する第一の加熱手段４と、主に放射熱により被調理物３を下方から加熱する第二の加熱手段５を有している。
【００４９】
被調理物３を載置する焼き網６と、焼き網６の下方に配置されて焼き網６を収納し、且つ被調理物３から発生して落下する油Ａ等を受ける受皿７は、共に調理室２内の所定の位置に収納される。また、受皿７は、扉８の開閉動作と連動するようになっており、受皿７が調理室２内に収納されると、扉８が調理室２の前面開口部を覆うように構成されている。
【００５０】
加熱調理器１外の空気を調理室２内に供給する吸気口１ａは、調理室２の上面部２ｂと接続され且つ調理室２内の空気を外部に排出する排気経路９よりも下方に配置されている。そのため、調理工程中の調理室２内の空気や、調理工程中に魚等の被調理物３から発生する油煙Ｕおよび被調理物３から流れ出た油Ａが第二の加熱手段５に滴下して発生する油煙Ｕ等は、高温であり上昇していくので、排気経路９から排出されていくとともに、加熱調理器１外の空気が吸気口１ａから調理室２内に供給されていく。
【００５１】
油煙Ｕを除去して外部に排出される油煙Ｕの量を低減する油煙量低減手段１０は、図２および図３に示すように、主に、シリカ、酸化マグネシウム、酸化アルミニウムの成分で作られており、略円形形状であったり、略長方形や略正方形等の多角形形状であったりする。そして、油煙量低減手段１０は、油煙Ｕを水蒸気と二酸化炭素に分解する触媒１１（主に触媒１１は白金ＰｔやパラジウムＰｄ等から構成されている）を有しており、調理室２と排気経路９との接続部近傍または排気経路９内に配置されている。
【００５２】
また、油煙量低減手段１０は、油煙Ｕが調理室２内に滞留しない程度の開口面積を有する孔１２を備えた構成になっている（例えば、油煙量低減手段１０は、図３に示すように、直径が１００ｍｍの略円形の大きさで、且つ油煙量低減手段１０が配置される排気経路９部分の断面積の５０％以上の開口面積を持つ格子状の孔１２を持つ等）。
【００５３】
そして、図２に示すように、油煙量低減手段１０に設けられた多くの格子状の孔１２の部分に触媒１１を配置しており、油煙Ｕが格子状の孔１２を通過するときに触媒１１と接触するようになっている。その結果、油煙Ｕは触媒１１により水蒸気と二酸化炭素に分解される。
【００５４】
なお、排気経路９は、調理室２の左右側面部や背面部と接続されてもよいが、調理室２内の空気を強制的に排出する送風手段を設けず、調理室２内の空気の自然な流れで調理室２内の空気を排気経路９から排出させる構成の場合は、調理室２内で加熱された空気や油煙Ｕは、上昇気流により調理室２の上面部２ｂへ移動するので、図１に示すように、排気経路９を調理室２の上面部２ｂと接続させることにより、油煙Ｕを調理室２から加熱調理器１外へ効率的に排出することができ、排気経路９内または排気経路９の調理室２との接続部近傍に配置された油煙量低減手段１０により、効率的に水蒸気と二酸化炭素に分解することができる。
【００５５】
また、油煙量低減手段１０は、図３に示すように、略円形形状であってもよいし、略長方形や略正方形などの多角形であってもよい。
【００５６】
また、油煙量低減手段１０は、排気経路９近傍の調理室２内に配置されてもよい。
【００５７】
第一の加熱手段４と油煙量低減手段１０との間または第一の加熱手段４近傍に配置される遮蔽板１３は、図３に示すように、油煙量低減手段１０の調理室２内への投影形状と少なくとも略同形状（例えば、油煙量低減手段１０が円形状であれば、遮蔽板１３も略同直径の円形状）であり、第一の加熱手段４の油煙量低減手段１０への投影形状部分を切り欠いた形状をしている。それゆえ、第一の加熱手段４は、調理室２内の被調理物３を加熱するだけでなく、油煙量低減手段１０も加熱することができる。
【００５８】
一方で、遮蔽板１３が第一の加熱手段４と油煙量低減手段１０との間または第一の加熱手段４近傍に配置されているので、調理室２内で発生した油煙Ｕは、図４（ｂ）に示すように、油煙量低減手段１０に直接供給されて排出されるのではなく、図４（ａ）に示すように、一度遮蔽板１３に衝突して、遮蔽板１３を迂回してから油煙量低減手段１０に供給されて排出されていく。そのため、調理室２内で油煙Ｕが大量に発生した場合でも、油煙Ｕが遮蔽板１３に衝突することにより、大量の油煙Ｕの流速を遅くして油煙量低減手段１０に供給することができ、油煙Ｕが、流速が速いまま油煙量低減手段１０を素通りして、水蒸気と二酸化炭素に分解されずに加熱調理器１外へ排出されてしまうのを低減することができる。
【００５９】
また、遮蔽板１３は少なくとも油煙量低減手段１０の調理室２内への投影形状と略同形状なので、被加熱物３が加熱されている工程で、被加熱物３から身がはじけ飛んだ場合でも、被加熱物３の身が油煙量低減手段１０に付着するのを低減することができるので、油煙量低減手段１０の孔１２が詰まってしまうのを低減することができる。
【００６０】
なお、遮蔽板１３は、油煙量低減手段１０の調理室２への投影形状よりも大きな形状であってもよい。
【００６１】
また、遮蔽板１３は、調理室２の上面部と一体で形成されてもよい。
【００６２】
以上のように構成された加熱調理器１について、以下その動作、作用を説明する。
【００６３】
まず、使用者がまず焼き網６に被調理物３を載せ、その焼き網６を受皿７に収納し、扉８の閉成動作と連動させて受皿７を調理室２内に収納する。その後、調理開始ボタン（図示せず）を押すと、被調理物３を加熱する調理工程が開始する。
【００６４】
調理工程が開始すると、調理室２内にある第一の加熱手段４または第二の加熱手段５に通電される。被調理物３が調理室２内の所定の位置に収納されると、第一の加熱手段４は被調理物３の上方に、また第二の加熱手段５は被調理物３の下方にそれぞれ配置されるので、第一の加熱手段４または第二の加熱手段５が通電されることにより、被調理物３は、主に第一の加熱手段４または第二の加熱手段５の放射熱により加熱されることになる。
【００６５】
そして、第一の加熱手段４または第二の加熱手段５が被調理物３を所定時間加熱することにより、被調理物３は加熱調理されることになる。
【００６６】
同時に、第一の加熱手段４により、油煙量低減手段１０および触媒１１が、図１１に示すように、触媒所定温度Ｔ以上に加熱される。
【００６７】
調理工程中に、加熱調理器１外の空気が吸気口１ａから調理室２内に供給されるとともに、魚等の被調理物３から発生した油煙Ｕ等は、調理室２内の空気とともに油煙量低減手段１０に供給される。油煙量低減手段１０に供給された油煙Ｕは、油煙量低減手段１０に設けられ且つ触媒所定温度Ｔ以上に加熱された触媒１１により水蒸気と二酸化炭素に分解され、その後、排気経路９を介して加熱調理器１外へ排出されていく。
【００６８】
被調理物３が所定時間加熱されると、調理工程が終了する。そして、使用者は、扉８を手前に引くことにより、加熱調理された被調理物３を調理室２から取り出すことができる。
【００６９】
以上のように、本実施の形態によれば、図１〜図４（ａ）に示すように、第一の加熱手段４と油煙量低減手段１０との間または第一の加熱手段４近傍に、少なくとも油煙量低減手段１０の調理室２への投影形状と略同形状の遮蔽板１３を設けることにより、第一の加熱手段４は、被調理物３を加熱するだけでなく、油煙量低減手段１０を触媒所定温度Ｔ以上に加熱することができるとともに、調理室２内で発生した油煙Ｕは、図４（ｂ）に示すように、油煙量低減手段１０に直接供給されて排出されるのではなく、図４（ａ）に示すように、一度遮蔽板１３に衝突して、遮蔽板１３を迂回してから油煙量低減手段１０に供給されて排出されていく。そのため、図４（ａ）に示すように、調理室２内で油煙Ｕが大量に発生した場合でも、油煙Ｕが遮蔽板１３に衝突することにより、油煙Ｕの流速を遅くして油煙量低減手段１０に供給することができ、油煙Ｕが、流速が速いまま油煙量低減手段１０を素通りして、水蒸気や二酸化炭素に分解されずに排気経路９を介して加熱調理器１外へ排出されてしまうのを低減することができる。
【００７０】
それゆえ、油煙量低減手段１０は第一の加熱手段４により触媒所定温度Ｔ以上に加熱されるとともに、排気経路９から排出される油煙Ｕの量を低減することができ、台所が油煙Ｕで充満して油煙臭い状態になってしまったり、台所の壁面等に油煙Ｕが付着して台所が汚れ、台所の衛生状態を低下させてしまって使用者に不快感を与えたりするのを低減することができる。
【００７１】
なお、図１では、排気経路９を調理室２の上面部２ｂと接続させてその接続部近傍に油煙量低減手段１０を配置する構成としたが、排気経路９を調理室２の側面部や背面部に設けてもよい。
【００７２】
また、図５に示すように、油煙量低減手段１０と遮蔽板１３との間に、油煙量低減手段１０を加熱する第三の加熱手段１４を設けてもよく、油煙量低減手段１０は、第三の加熱手段１４により、より確実に触媒所定温度Ｔ以上に加熱されるものである。
【００７３】
それから、図３に示すように、遮蔽板１３は少なくとも油煙量低減手段１０の調理室２内への投影形状と略同形状なので、調理工程中に、被加熱物３から身がはじけ飛んだ場合でも、被加熱物３の身が油煙量低減手段１０に直接付着するのではなく、遮蔽板１３に付着するので、被加熱物３の身が油煙量低減手段１０に付着するのを低減することができ、油煙量低減手段１０が汚れてしまって油煙Ｕを水蒸気と二酸化炭素に分解できる能力が低下してしまったり、油煙量低減手段１０の孔１２が詰まってしまって、油煙Ｕが油煙量低減手段１０を通過しにくくなって調理室２内に滞留してしまうのを低減することができる。それゆえ、加熱調理器１を長時間使用しても、油煙量低減手段１０は常に油煙Ｕを、二酸化炭素と水蒸気に分解し続けることができ、排気経路９から排出される油煙Ｕの量を常に所定量以下に低減することができる。
【００７４】
それから、調理室２内の空気を強制的に排出する送風手段を設けず、調理室２内の空気の自然な流れで調理室２内の空気を排気経路９から排出させる構成の場合は、調理室２内で加熱された空気や油煙Ｕは、上昇気流により調理室２の上面部２ｂへ移動するので、図１および図２に示すように、排気経路９を調理室２の上面部２ｂと接続させることにより、油煙Ｕを調理室２から加熱調理器１外へ効率的に排出することができ、排気経路９内または排気経路９の調理室２との接続部近傍に配置された油煙量低減手段１０により、効率的に水蒸気と二酸化炭素に分解することができる。
【００７５】
それから、図６に示すように、遮蔽板１３に、遮蔽板１３を略垂直方向または略水平方向に振動させる遮蔽板振動手段１５を設けることにより、遮蔽板１３近傍を流れる油煙Ｕも振動させることができるので、振動した油煙Ｕが油煙量低減手段１０を通過する際に、油煙量低減手段１０の孔１２の側壁と衝突しながら排気経路９へ排出されていくことになる。そのため、油煙Ｕが油煙量低減手段１０を素通りするのを低減することができ、油煙Ｕが触媒１１と接触するのを増加させることができるので、触媒１１が油煙Ｕを二酸化炭素と水蒸気に分解するのを促進することができ、台所が油煙Ｕで充満して油煙臭い状態になってしまったり、台所の壁面等に油煙Ｕが付着して台所が汚れ、台所の衛生状態を低下させてしまって使用者に不快感を与えたりするのをより低減することができる。
【００７６】
それから、図７に示すように、遮蔽板１３を弾性体１６で支持することにより、調理工程中に調理室２内に大量の油煙Ｕが発生した場合は、調理室２内の空気および油煙Ｕは高圧力で且つ流速が速いので、図８（ａ）に示すように、遮蔽板１３が油煙Ｕにより垂直上方に押し上げられ、その結果、図８（ｂ）に示すように、遮蔽板１３が上下方向に振動することになる。
【００７７】
それゆえ、遮蔽板１３近傍を流れる油煙Ｕも振動させることができるので、振動した油煙Ｕが油煙量低減手段１０を通過する際に、油煙量低減手段１０の孔１２の側壁と衝突しながら排気経路９へ排出されていくようにすることができる。そのため、遮蔽板１３を電気的に振動させる部品を不要とすることができるとともに、油煙Ｕが油煙量低減手段１０を素通りするのを低減することができ、油煙Ｕが触媒１１と接触するのを増加させることができるので、触媒１１が油煙Ｕを二酸化炭素と水蒸気に分解するのを促進することができ、台所が油煙Ｕで充満して油煙臭い状態になってしまったり、台所の壁面等に油煙Ｕが付着して台所が汚れ、台所の衛生状態を低下させてしまって使用者に不快感を与えたりするのをより低減することができる。
【００７８】
それから、第一の加熱手段４は、被調理物３や油煙量低減手段１０を加熱するだけでなく、遮蔽板１３も加熱するので、遮蔽板１３の少なくとも油煙量低減手段１０に面する側１３ａ（図２参照）に、放射率の高い材料（例えば、黒色系の塗料等）を塗布することにより、油煙量低減手段１０に向けて、放射熱を供給することになる。
【００７９】
それゆえ、油煙量低減手段１０は第一の加熱手段４だけでなく、遮蔽板１３からも加熱されることになり、より早く触媒所定温度Ｔまで加熱されたり、触媒所定温度Ｔ以上に加熱されたりするので、触媒１１が油煙Ｕを二酸化炭素と水蒸気に分解する能力をより向上させることができ、排気経路９から加熱調理器１外へ排出される油煙Ｕの量をより低減することができる。
【００８０】
したがって、台所が油煙Ｕで充満して油煙臭い状態になってしまったり、台所の壁面等に油煙Ｕが付着して台所が汚れ、台所の衛生状態を低下させてしまって使用者に不快感を与えたりするのをより低減することができる。
【００８１】
それから、遮蔽板１３の少なくとも油煙量低減手段１０に面する側と反対側１３ｂ（図２参照）に、放射率の高い材料を塗布することにより、調理工程において、第一の加熱手段４により加熱された遮蔽板１３は、被調理物３に向けて放射熱を供給することになる。
【００８２】
それゆえ、被調理物３は第一の加熱手段４だけでなく、遮蔽板１３からも加熱されることになり、より早く所定の調理性能に調理されることになるので、調理工程中に、排気経路９から加熱調理器１外へ排出される油煙Ｕの量をより低減することができるとともに、調理時間を短縮することができる。
【００８３】
それから、遮蔽板１３を放射率の高い材質で形成することにより、調理工程において、第一の加熱手段４により加熱された遮蔽板１３は、油煙量低減手段１０および被調理物３に向けて放射熱を供給することになる。
【００８４】
それゆえ、油煙量低減手段１０は第一の加熱手段４だけでなく、遮蔽板１３からも加熱されることになり、より早く触媒所定温度Ｔまで加熱されたり、触媒所定温度Ｔ以上に加熱されたりするので、触媒１１が油煙Ｕを二酸化炭素と水蒸気に分解する能力をより向上させることができ、排気経路９から加熱調理器１外へ排出される油煙Ｕの量をより低減することができるとともに、被調理物３も遮蔽板１３からも加熱されることになり、より早く所定の調理性能に調理されることになる。
【００８５】
したがって、台所が油煙Ｕで充満して油煙臭い状態になってしまったり、台所の壁面等に油煙Ｕが付着して台所が汚れ、台所の衛生状態を低下させてしまって使用者に不快感を与えたりするのをより低減することができるとともに、調理時間を短縮することができる。
【産業上の利用可能性】
【００８６】
以上のように、本発明にかかる加熱調理器は、油煙量低減手段が油煙を二酸化炭素と水蒸気に分解するのを向上させることができるので、排気経路から油煙が排出されるのを大幅に低減することができ、業務用の加熱調理器等の用途にも適用できる。
【図面の簡単な説明】
【００８７】
【図１】本発明の実施の形態１における加熱調理器の断面図
【図２】同加熱調理器の油煙量低減手段近傍の部分拡大断面図
【図３】同加熱調理器の油煙量低減手段、第一の加熱手段および遮蔽板の斜視図
【図４】（ａ）同加熱調理器の遮蔽板がある場合の油煙量低減手段近傍を流れる油煙の流れを表す図（ｂ）同加熱調理器の遮蔽板がない場合の油煙量低減手段近傍を流れる油煙の流れを表す図
【図５】同加熱調理器の第三の加熱手段を備えた場合の断面図
【図６】同加熱調理器の遮蔽板に遮蔽板振動手段を設けた場合の油煙量低減手段近傍を流れる油煙の流れを表す図
【図７】同加熱調理器の遮蔽板を弾性体支持した場合の油煙量低減手段近傍の部分拡大断面図
【図８】（ａ）同加熱調理器の遮蔽板を弾性体支持した場合に、油煙が遮蔽板を移動させる場合の油煙量低減手段近傍の部分拡大図（ｂ）同加熱調理器の遮蔽板を弾性体支持した場合に、遮蔽板が振動する場合の油煙量低減手段近傍の油煙の流れを表す図
【図９】従来の加熱調理器の横方向から見た縦断面図
【図１０】同加熱調理器の油煙量低減手段近傍の部分拡大断面図
【図１１】同油煙量低減手段に配置された触媒の温度と油煙分解能力の関係を示す図
【図１２】同油煙量低減手段の形状および油煙量低減手段に設けられた孔形状を表す図
【図１３】同加熱調理器の油煙が大量に発生した場合の横方向から見た縦断面図
【図１４】同加熱調理器の油煙が大量に発生した場合の油煙量低減手段近傍の部分拡大断面図
【符号の説明】
【００８８】
１  加熱調理器
２  調理室
３  被調理物
４  第一の加熱手段
５  第二の加熱手段
６  焼き網
７  受皿
１０  油煙量低減手段
１２  孔
１３  遮蔽板
１５  遮蔽板振動手段
１６  弾性体
【図１】
0004715520.tif 000002
【図２】
0004715520.tif 000003
【図３】
0004715520.tif 000004
【図４】
0004715520.tif 000005
【図５】
0004715520.tif 000006
【図６】
0004715520.tif 000007
【図７】
0004715520.tif 000008
【図８】
0004715520.tif 000009
【図９】
0004715520.tif 000010
【図１０】
0004715520.tif 000011
【図１１】
0004715520.tif 000012
【図１２】
0004715520.tif 000013
【図１３】
0004715520.tif 000014
【図１４】
0004715520.tif 000015